(57)【要約】【課題】コンクリート中に埋設物を残すことなく、コンクリート型枠の下端縁を水平にレベル調整することができる、型枠レベル調整装置を提供する。【解決手段】本発明の型枠レベル調整装置１は、コンクリート打設面２１を側面に有し、既設コンクリート上に固定される下部固定部２と、コンクリート型枠８０の載置面３１を上面に有し、下部固定部２上に傾動可能に設置される上部傾動部３と、下部固定部２と上部傾動部３との間に設置され、それぞれ独立して高さ調整可能に構成される複数の高さ調整手段４、・・・と、を備えている。【選択図】図１
2019199707.tif 000002
【特許請求の範囲】
【請求項１】
コンクリート打設面を側面に有し、既設コンクリート上に固定される下部固定部と、
コンクリート型枠の載置面を上面に有し、前記下部固定部上に傾動可能に設置される上部傾動部と、
前記下部固定部と前記上部傾動部との間に設置され、それぞれ独立して高さ調整可能に構成される複数の高さ調整手段と、を備える、型枠レベル調整装置。
【請求項２】
前記高さ調整手段は、前記下部固定部側に固定された雌ネジ孔と、前記上部傾動部側に回転自在に設置された雄ネジと、によって構成されている、請求項１に記載された型枠レベル調整装置。
【請求項３】
前記上部傾動部は、前記下部固定部の前記コンクリート打設面側まで延びるプレート部であって、前記上部傾動部の上面と前記下部固定部の上面との間に生じる段差を埋めるようになっているＬ字断面のプレート部を有する、請求項１又は請求項２に記載された型枠レベル調整装置。
【請求項４】
前記下部固定部は、既設コンクリート上に載置される底部と前記底部から直角に屈曲される側部とを有するＬ字断面に形成されて、前記底部には複数の長孔が設けられている、請求項１乃至請求項３のいずれか一項に記載された型枠レベル調整装置。
【請求項５】
前記上部傾動部は、前記下部固定部の前記側部に沿うようにされる側部と該側部から直角に屈曲される頂部とを有するＬ字断面に形成されて、前記頂部には複数の長孔が設けられている、請求項４に記載された型枠レベル調整装置。
【発明の詳細な説明】
【技術分野】
【０００１】
本発明は、土間コンクリート上に設置される型枠レベル調整装置に関するものである。
【背景技術】
【０００２】
従来から、土間コンクリート（スラブ）上に壁等を構築する際には、土間コンクリート上に型枠が設置される。ところが、土間コンクリートは完全な水平面に形成されていないため、型枠の下端を水平に調整したうえで固定する必要がある。
【０００３】
型枠の下端を水平に調整するために、従来は、土間コンクリート上に桟木を固定していた。桟木の上面を水平にレベル調整するために、桟木と土間コンクリートとの間に、部分的にスペーサーが設置される。そして、桟木の上面が水平に調整された後に、桟木の上にコンクリート型枠を載せて固定している。
【０００４】
ところが、桟木によってレベル調整する従来の手法では、桟木を固定するのに手間がかかるうえ、水平調整するために熟練を要していた。このため、コンクリート型枠を効率よく土間コンクリート上に設置することができなかった。
【０００５】
そこで、特許文献１のレベル調整装置は、固定部を下部に有し、上部にはコンクリート型枠を載せる載台を有している。そして、載台と固定部は、上下方向に伸縮自在な伸縮部によって連結されている。したがって、載台を伸縮部によって上下に移動させて載台の上下位置を調整してコンクリート型枠の下端縁を水平にレベル調整することができる。
【先行技術文献】
【特許文献】
【０００６】
【特許文献１】特開平９−２４５１１号公報
【発明の概要】
【発明が解決しようとする課題】
【０００７】
ところで、特許文献１の従来のレベル調整装置は、伸縮部として上下方向に延びるスリットに水平要綱に鍔付雄ネジ及び鍔付雌ネジを挿通させるようになっている。そのため、脱型後のコンクリート中に鍔付雄ネジ（又は鍔付雌ネジ）が埋設される。しかしながら、コンクリート中に異物が埋設されるのは、外観上も構造上も好ましくない。
【０００８】
そこで、本発明は、コンクリート中に埋設物を残すことなく、コンクリート型枠の下端縁を水平にレベル調整することができる、型枠レベル調整装置を提供することを目的としている。
【課題を解決するための手段】
【０００９】
前記目的を達成するために、本発明の型枠レベル調整装置は、コンクリート打設面を側面に有し、既設コンクリート上に固定される下部固定部と、コンクリート型枠の載置面を上面に有し、前記下部固定部上に傾動可能に設置される上部傾動部と、前記下部固定部と前記上部傾動部との間に設置され、それぞれ独立して高さ調整可能に構成される複数の高さ調整手段と、を備えている。
【発明の効果】
【００１０】
このように、本発明の型枠レベル調整装置は、コンクリート打設面を側面に有し、既設コンクリート上に固定される下部固定部と、コンクリート型枠の載置面を上面に有し、下部固定部上に傾動可能に設置される上部傾動部と、下部固定部と上部傾動部との間に設置され、それぞれ独立して高さ調整可能に構成される複数の高さ調整手段と、を備えている。このような構成であれば、コンクリート中に埋設物を残すことなく、コンクリート型枠の下端縁を水平にレベル調整することができる。
【図面の簡単な説明】
【００１１】
【図１】型枠レベル調整装置の斜視図である。
【図２】型枠レベル調整装置の正面図である。
【図３】型枠レベル調整装置の断面図である。
【図４】型枠レベル調整装置の作用を説明する正面図である。
【図５】型枠レベル調整装置の作用を説明する断面図である。
【発明を実施するための形態】
【００１２】
以下、本発明の実施の形態について図面を参照して説明する。ただし、以下の実施例に記載されている構成要素は例示であり、本発明の技術範囲をそれらのみに限定する趣旨のものではない。
【実施例】
【００１３】
（構成）
まず、図１〜図３を用いて、本発明の型枠レベル調整装置１の全体構成を説明する。本発明の型枠レベル調整装置１は、図１〜図３に示すように、コンクリート打設面２１を側面に有し、既設コンクリート上に固定される下部固定部２と、コンクリート型枠８０の載置面３１を上面に有し、下部固定部２上に傾動可能に設置される上部傾動部３と、下部固定部２と上部傾動部３との間に設置され、それぞれ独立して高さ調整可能に構成される複数の高さ調整手段４、・・・と、を備えている。
【００１４】
より詳細に言うと、下部固定部２の内側（コンクリート打設面の反対側）に、上部傾動部３が配置されて、それぞれの側面どうしを接するようになっている。そして、後述するように、下部固定部２の上面（上端面）と上部傾動部３の上面（載置面３１）との間の段差を埋めるように、さらにプレート部５が配置されている。
【００１５】
下部固定部２は、鉄や鋼などの金属によってＬ字型の断面に形成される、いわゆるアングルであり、既設コンクリート９０上に載置される底部２２と底部２２から直角に屈曲される側部２３とを有し、底部２２には長さ方向に沿って等間隔に複数の長孔２２ａ、・・・が設けられている。そして、この側部２３の外側面がコンクリート打設面２１となっている。
【００１６】
そして、下部固定部２の底部２２には、両端よりも少し内側の位置に、高さ調整手段を構成する雌ネジ孔４１を有するボス部材２５、２５が配置されている。さらに、下部固定部２の側部２３には、両端よりも少し内側に２枚の補強片２４、２４が溶接などによって固定されており、これに雌ネジ孔４１を有するボス部材２５が溶接などによって固定されている。つまり、ボス部材２５は、底部２２に固定されるとともに、補強片２４を介して側部２３にも固定されている。
【００１７】
上部傾動部３は、鉄や鋼などの金属によってＬ字型の断面に形成される、いわゆるアングルであり、下部固定部２の側部２３に沿うようにされる側部３２と側部３２から直角に屈曲される頂部３３とを有し、頂部３３には長さ方向に沿って等間隔に複数の長孔３３ａ、・・・が設けられている。さらに、頂部３３の下面には、桟木受け３５が取り付けられて、桟木８１（図４参照）を挿入できるようになっている。
【００１８】
そして、本実施例の上部傾動部３は、下部固定部２のコンクリート打設面２１側まで延びるプレート部５であって、上部傾動部３の上面（すなわち載置面３１）と下部固定部２の上面との間に生じる段差を埋めるようになっているＬ字断面のプレート部５を有している。
【００１９】
プレート部５は、Ｌ字の一方の辺５１を上部傾動部３の載置面３１に溶接等によって固定されるとともに、Ｌ字の他方の辺５２は下部固定部２のコンクリート打設面２１（外側面）に沿うように配置されて、コンクリート打設面２１に沿ってスライドできるようになっている。そして、プレート部５の長さは、高さ調整装置４のストローク端においても、段差を埋めることが出来る程度の長さとされることが好ましい。
【００２０】
すなわち、下部固定部２のコンクリート打設面２１とプレート部５の他方の辺５２は、略同一平面を構成するようになっている。このようにして、下部固定部２のコンクリート打設面２１とプレート部５の他方の辺５２（垂直に延びる辺）の表面とによって、広義のコンクリート打設面が形成されることになる。
【００２１】
さらに、上部傾動部３には、両端よりも少し内側の位置に、高さ調整手段を構成する雄ネジ４２、４２が配置されている。より詳細に言うと、雄ネジ４２の頭部４２ａは、上部傾動部３の頂部３３に固定されたコ字片３４に、回転自在に嵌め込まれている。このような構造によって、上部傾動部３の頂部３３の長孔３３ａを通じて、ドライバーなどによって雄ネジ４２を回転させて、雌ネジ孔４１に螺合させることができるようになっている。
【００２２】
上述してきたように、本実施例の型枠レベル調整装置１は、下部固定部２と上部傾動部３との間に設置され、それぞれ独立して高さ調整可能に構成される複数の高さ調整手段４、・・・を備えている。高さ調整手段４は、具体的には、下部固定部２に固定される雌ネジ孔４１と、上部傾動部３に回転自在に取り付けられる雄ネジ４２と、によって構成される。
【００２３】
そして、高さ調整手段４は、本実施例では、型枠レベル調整装置１の両端から少し内側よりの位置に１箇所ずつ、合計で２箇所設置されている。これによって、左右２箇所の高さ調整手段４の高さを変えることによって、上部傾動部３の左右の傾斜角度を調整できるようになっている。なお、高さ調整手段４は、３箇所以上に設置することも、もちろん可能である。
【００２４】
（作用）
次に、図４及び図５を用いて、本実施例の型枠レベル調整装置１の作用について説明する。ここでは、既設コンクリート９０（土間コンクリート、スラブコンクリート）が右側を下にして傾斜している場合について説明する。まず、既設コンクリート９０（土間コンクリート）に対して、コンクリート釘によって下部固定部２を所定位置に固定する。
【００２５】
そして、既設コンクリート９０の表面が、右側下がりとなっている場合には、図４に示すように、右側の高さ調整手段４の高さを左側の高さ調整手段４よりも少し高くする。具体的には、図５に示すように、頂部３３の長孔３３ａを通じてドライバー等によって、右側の高さ調整手段４の雄ネジ４２を緩めることで（一般には左回りに回転させることで）、右側の雄ネジ４２を上方に移動させる。そうすると、雄ネジ４２の頭部４２ａの上面によって、上部傾動部３の頂部３３を突っ張ることができる。
【００２６】
あるいは、これとは逆に、左側の高さ調整手段４の雄ネジ４２を締めることで、左側の雄ネジ４２を下方に移動させてもよい。そして、上部傾動部３の頂部３３の上に置いた気泡管水平器などを見ながら、頂部３３が略水平になるように上部傾動部３の傾斜角度を調整する。このようにして載置面３１が水平になった後、頂部３３の上面である載置面３１にコンクリート型枠８０を載せて、長孔３３ａを通じて釘などによってこれを固定する。その後、型枠レベル調整装置１を下端として、その上にコンクリート型枠８０が載置された状態で、型枠内にコンクリートを打設する。硬化後には、コンクリート釘を引き抜いて型枠レベル調整装置１とともにコンクリート型枠８０を取り外して作業が完了する。
【００２７】
（効果）
次に、本実施例の型枠レベル調整装置１の奏する効果を列挙して説明する。
【００２８】
（１）上述してきたように、本実施例の型枠レベル調整装置１は、コンクリート打設面２１を側面に有し、既設コンクリート上に固定される下部固定部２と、コンクリート型枠８０の載置面３１を上面に有し、下部固定部２上に傾動可能に設置される上部傾動部３と、下部固定部２と上部傾動部３との間に設置され、それぞれ独立して高さ調整可能に構成される複数の高さ調整手段４、・・・と、を備えている。したがって、コンクリート中に埋設物を残すことなく、コンクリート型枠８０の下端縁を水平にレベル調整することができる。
【００２９】
すなわち、高さ調整手段４は、下部固定部２と上部傾動部３の間に配置されるものであり、コンクリート打設面２１側に突出する部分がないため、出来上がりのコンクリート中に埋設物が残ることはない。
【００３０】
（２）また、高さ調整手段４は、下部固定部２側に固定された雌ネジ孔４１と、上部傾動部３側に回転自在に設置された雄ネジ４２と、によって構成されていることが好ましい。このように、コンクリート打設面２１側に突出する構造のない、上下方向に螺合する構成を採用すれば、簡単な構成でありながらも、コンクリート打設面２１側に突出する部分のない高さ調整手段４となる。
【００３１】
（３）さらに、上部傾動部３は、下部固定部２のコンクリート打設面２１側まで延びるプレート部５であって、上部傾動部３の上面（載置面３１）と下部固定部２の上面（上端面）との間に生じる段差を埋めるようになっているＬ字断面のプレート部５を有していることが好ましい。このような構成であれば、段差にコンクリートが入り込んでしまい、出来上がりのコンクリートの表面に凹凸が生じることを防止できる。
【００３２】
（４）また、下部固定部２は、具体的には、既設コンクリート９０上に載置される底部２２と底部２２から直角に屈曲される側部２３とを有するＬ字断面に形成されて、底部２２には複数の長孔２２ａ、・・・が設けられていることが好ましい。このような構成であれば、簡単な構成によって、型枠レベル調整装置１を実現することができる。
【００３３】
（５）さらに、上部傾動部３は、具体的には、下部固定部２の側部２３に沿うようにされる側部３２と該側部３２から直角に屈曲される頂部３３とを有するＬ字断面に形成されて、頂部３３には複数の長孔３３ａ、・・・が設けられていることが好ましい。このような構成であれば、簡単な構成によって、型枠レベル調整装置１を実現することができる。さらに、長孔３３ａ、・・・を通じて、頂部３３の上下にある桟木８１とコンクリート型枠８０とをタッピング等によって固定することができるようになる。
【００３４】
以上、図面を参照して、本発明の実施例を詳述してきたが、具体的な構成は、この実施例に限らず、本発明の要旨を逸脱しない程度の設計的変更は、本発明に含まれる。
【００３５】
例えば、高さ調整手段４は、実施例に記載した構造に限定されるものではなく、コンクリート打設面２１側に突出する部位がない構造であれば、他の構造であってもよい。
【００３６】
また、実施例では、下部固定部２が外側（コンクリート打設面２１側）で上部傾動部３が内側の場合について説明したが、これに限定されるものではなく、逆の関係であってもよい。この場合、請求項（案）は以下のようになる。
【００３７】
（請求項（案）１）
既設コンクリート上に固定される下部固定部と、
コンクリート打設面を側面に有するとともに、コンクリート型枠の載置面を上面に有し、前記下部固定部上に傾動可能に設置される上部傾動部と、
前記下部固定部と前記上部傾動部との間に設置され、それぞれ独立して高さ調整可能に構成される複数の高さ調整手段と、を備える、型枠レベル調整装置。
【００３８】
（請求項（案）２）
出願当初のものと同じ。
【００３９】
（請求項（案）３）
前記下部固定部は、前記上部傾動部の前記コンクリート打設面側まで延びるプレート部であって、前記上部傾動部の下面と前記下部固定部の下面との間に生じる段差を埋めるようになっているＬ字断面のプレート部を有する、請求項１又は請求項２に記載された型枠レベル調整装置。
【符号の説明】
【００４０】
１          型枠レベル調整装置
２          下部固定部
２１        コンクリート打設面
２２        底部
２３        側部
２４        補強片
２５        ボス部材
３          上部傾動部
３１        載置面
３２        側部
３３        頂部
３４        コ字片
４          高さ調整手段
４１        雌ネジ孔
４２        雄ネジ
５          プレート部
５１        一方の辺
５２        他方の辺
８０        コンクリート型枠
９０        既設コンクリート（土間コンクリート）
【図１】
2019199707.tif 000003
【図２】
2019199707.tif 000004
【図３】
2019199707.tif 000005
【図４】
2019199707.tif 000006
【図５】
2019199707.tif 000007
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
コンクリート打設面を側面に有し、既設コンクリート上に固定される下部固定部と、
コンクリート型枠の載置面を上面に有し、前記下部固定部上に傾動可能に設置される上部傾動部と、
前記下部固定部と前記上部傾動部との間に設置され、それぞれ独立して高さ調整可能に構成される複数の高さ調整手段と、を備え、
前記高さ調整手段は、前記下部固定部側に固定された雌ネジ孔と、前記上部傾動部側に回転自在に設置された雄ネジと、によって構成されており、
前記上部傾動部の頂部には長孔が形成されており、前記長孔を通じて前記雄ネジを回転させることができるようになっている、型枠レベル調整装置。
【請求項２】
前記上部傾動部は、前記下部固定部の前記コンクリート打設面側まで延びるプレート部であって、前記上部傾動部の上面と前記下部固定部の上面との間に生じる段差を埋めるようになっているＬ字断面のプレート部を有する、請求項１に記載された型枠レベル調整装置。
【請求項３】
前記下部固定部は、既設コンクリート上に載置される底部と前記底部から直角に屈曲される側部とを有するＬ字断面に形成されて、前記底部には複数の長孔が設けられている、請求項１又は請求項２に記載された型枠レベル調整装置。
【請求項４】
前記上部傾動部は、前記下部固定部の前記側部に沿うようにされる側部と該側部から直角に屈曲される頂部とを有するＬ字断面に形成されて、前記頂部には複数の長孔が設けられている、請求項３に記載された型枠レベル調整装置。